(57)【特許請求の範囲】
【請求項１】
前面と後面に開口し、該後面の開口にプレハブ冷却貯蔵庫が連接される断熱壁と、この断熱壁の天壁下方に間隔を存して設けられた天部仕切部材と、前記断熱壁の底壁上方に間隔を存して設けられた底部仕切部材と、貯蔵室と前記プレハブ冷却貯蔵庫内を開閉自在に区画し、前記天部仕切部材と天壁との間隔後部を前記底部仕切部材と底壁との間隔後部に連通させる扉によって形成された一連のダクトと、前記天部仕切部材の前端に形成され、前記ダクトに連通する吐出口と、前記底部仕切部材の前端に形成され、前記ダクトに連通する吸込口とを備え、前記ダクト内に設置した冷却器と熱交換した冷気を送風機によって前記吐出口より前記貯蔵室内に吐出し、前記吸込口より吸い込むことによって、開口にエアーカーテンを形成して成るオープンショーケースにおいて、
前記天部仕切部材と天壁との間における前記ダクト内に、前記冷却器及び送風機を設置すると共に、前記天部仕切部材と天壁との間隔後方には、当該間隔内と前記プレハブ冷却貯蔵庫内とを仕切る開閉可能なカバーを設けたことを特徴とするオープンショーケース。
【請求項２】
冷却器は複数配設され、これら冷却器間には仕切板が設けられると共に、この仕切板は前記各冷却器を順次通過する一連の冷気通路をダクト内に形成することを特徴とする請求項１のオープンショーケース。
【請求項３】
冷却器を後方に低く傾斜して設置すると共に、当該冷却器後部と断熱壁の天壁間には間隙を形成したことを特徴とする請求項１のオープンショーケース。
【発明の詳細な説明】
【０００１】
【発明の属する技術分野】
本発明は、少なくとも前面に開口した断熱壁内にダクトと貯蔵室を形成し、ダクト内に設置した冷却器と熱交換した冷気を送風機にて貯蔵室内に吐出することによって、開口にエアーカーテンを形成して成るオープンショーケースに関するものである。
【０００２】
【従来の技術】
従来よりコンビニエンスストアなどに据え付けられるこの種オープンショーケースは、例えば特開平８−１２１９２４号公報（Ｆ２５Ｄ１１／００）に示される如く、前面に開口した断熱箱体（断熱壁）内に貯蔵室とダクトを形成し、ダクト内には冷却器と送風機を設置すると共に、開口上縁に形成した吐出口から前記冷却器と熱交換した冷気を送風機により貯蔵室内に吐出し、開口下縁に形成した吸込口から吸い込むことによって、開口にエアーカーテンを形成しつつ、貯蔵室内を所定温度に冷却していた。
【０００３】
また、前記公報では断熱箱体は後面にも開口しており、この開口にはプレハブ冷却貯蔵庫が連接されている。このプレハブ冷却貯蔵庫内と貯蔵室内とは内外二枚の扉により開閉自在に区画されており、これら扉を開放することによって、プレハブ冷却貯蔵庫内から直接オープンショーケースの貯蔵室内に商品の補充ができるように構成されている。
【０００４】
また、この場合ダクトは区画天板と断熱箱体の天壁間、区画床板と断熱箱体の底壁間、及び、内外扉間に渡って一連に形成されており、吐出口は区画天板の前端に、吸込口は区画床板の前端にそれぞれ形成され、更に、前記冷却器と送風機は、貯蔵室の下方に位置する区画床板と底壁間におけるダクト内に設置されていた。
【０００５】
【発明が解決しようとする課題】
このように、従来のオープンショーケースは貯蔵室下方のダクト内に冷却器と送風機を設置していたため、ハンドレールが取り付けられる開口下縁の高さは４５０ｍｍ〜５００ｍｍと高くなってしまう。
【０００６】
また、この種コンビニエンスストアでは断熱箱体の前面上方に下がり壁が設けられる。この下がり壁の下端は断熱箱体の開口上縁に取り付けられたシェード上端部或いはその付近（断熱箱体の上面の高さ）まで降下するものであるが、その下端の高さは通常１９００ｍｍ程に設定されている。そのため、並設される他の機器と下がり壁の高さを均一にする必要性から、シェードの高さ寸法も上記１９００ｍｍに合わせる必要がある。
【０００７】
一方で、この種オープンショーケースでは貯蔵室の開口間口寸法が広い方が商品が見易く、且つ、その取り出しも容易となる。また、上下寸法も大きい方が商品をより多く陳列することができるものであるが、従来では上述の如き理由によってこれら各寸法を拡大するにも限界があった。
【０００８】
本発明は、係る従来の技術的課題を解決するために成されたものであり、店舗に設置する際に支障を来すこと無く、貯蔵室の開口間口寸法と収容容積の拡張を図ることができるオープンショーケースを提供するものである。
【０００９】
【課題を解決するための手段】
本発明のオープンショーケースは、前面と後面に開口し、後面の開口にプレハブ冷却貯蔵庫が連接される断熱壁と、この断熱壁の天壁下方に間隔を存して設けられた天部仕切部材と、断熱壁の底壁上方に間隔を存して設けられた底部仕切部材と、貯蔵室とプレハブ冷却貯蔵庫内を開閉自在に区画し、天部仕切部材と天壁との間隔後部を底部仕切部材と底壁との間隔後部に連通させる扉によって形成された一連のダクトと、天部仕切部材の前端に形成され、ダクトに連通する吐出口と、底部仕切部材の前端に形成され、ダクトに連通する吸込口とを備えており、ダクト内に設置した冷却器と熱交換した冷気を送風機によって吐出口より貯蔵室内に吐出し、吸込口より吸い込むことによって、開口にエアーカーテンを形成して成るものであって、天部仕切部材と天壁との間における前記ダクト内に、冷却器及び送風機を設置すると共に、天部仕切部材と天壁との間隔後方には、当該間隔内とプレハブ冷却貯蔵庫内とを仕切る開閉可能なカバーを設けたものである。
【００１０】
本発明によれば、オープンショーケースの天部仕切部材と天壁との間におけるダクト内に冷却器及び送風機を設置したので、断熱壁の開口下縁の高さと底部仕切部材の高さを低くし、貯蔵室の開口間口寸法と収容容積の下方への拡張を図ることができる。また、天壁及び天部仕切部材の高さを高くすることにより、冷却器と送風機の設置スペースを確保しつつ、貯蔵室の開口間口寸法と収容容積の上方への拡張も図ることが可能となり、総じて、貯蔵室の開口間口寸法と収容容積の著しい拡大を図ることができるようになる。
【００１１】
一方、断熱壁は上方へ拡大されることになるが、その前方に下がり壁を位置させれば設置時にも支障を生じること無く、断熱壁の上部をこの下がり壁後方に隠蔽することができる。即ち、本発明によれば店舗の下がり壁後方の無効空間を有効に利用して上記効果を得ることができるものである。
【００１２】
特に、オープンショーケースは、断熱壁は前面と後面に開口し、この後面の開口にはプレハブ冷却貯蔵庫が連接され、貯蔵室とプレハブ冷却貯蔵庫内を開閉自在に区画する扉が天部仕切部材と天壁との間隔後部を底部仕切部材と底壁との間隔後部に連通させて一連のダクトを構成するものであり、天部仕切部材と天壁との間隔後方に、当該間隔内とプレハブ冷却貯蔵庫内とを仕切る開閉可能なカバーを設けているので、送風機や冷却器周辺の機器のメンテナンスの際、このカバーを開いてプレハブ冷却貯蔵庫側から作業を行うことができるようになる。
【００１３】
これにより、底部仕切部材下方に冷却器と送風機を設けていた従来のオープンショーケースの如く、メンテナンス時に貯蔵室内の商品を取り出す必要も無くなり、作業性が著しく向上するものである。
【００１４】
請求項２の発明のオープンショーケースは、上記において冷却器は複数配設され、これら冷却器間には仕切板が設けられると共に、この仕切板は各冷却器を順次通過する一連の冷気通路をダクト内に形成するものである。
【００１５】
請求項２の発明によれば、上記に加えて冷却器は複数配設され、これら冷却器間には仕切板を設けると共に、この仕切板によって各冷却器を順次通過する一連の冷気通路をダクト内に形成するようにしたので、送風機によって形成された冷気流が冷却器を通過する時間が延長され、所要の冷却温度に到達するようになる。また、送風機と吐出口間の距離を延長することが可能となるので、幅方向に対する均一な風速を得ることができるようになるものである。
【００１６】
請求項３の発明のオープンショーケースは、請求項１において冷却器を後方に低く傾斜して設置すると共に、当該冷却器後部と断熱壁の天壁間には間隙を形成したものである。
【００１７】
請求項３の発明によれば、請求項１に加えて冷却器を後方に低く傾斜して設置したので、冷却器の除霜水はこの傾斜によって滞ること無く後方に流れるようになる。これによって、除霜水の処理を円滑に行うことが可能となる。また、この傾斜を利用して冷却器後部と断熱壁の天壁間には間隙を形成したので、冷却器の冷気吸込面積が拡張され、霜閉塞し難くなる。これによって、着霜による冷気量の減少を抑制し、且つ、除霜回数を減らして除霜による貯蔵室への悪影響を低減することが可能となるものである。
【００１８】
【発明の実施の形態】
以下、図面に基づき本発明の実施形態を詳述する。図１は本発明のオープンショーケース１の縦断側面図、図２はオープンショーケース１上部の拡大縦断側面図である。実施例のオープンショーケース１は、コンビニエンスストアの店舗内に設置されるものであり、前面及び後面に開口３、４を備えた断熱壁６から構成され、この断熱壁６の後面開口４にはプレハブ冷却貯蔵庫２が連接されている。
【００１９】
断熱壁６の天壁７の下方には間隔を存して天部仕切部材８が取り付けられ、断熱壁６の底壁９の上方には間隔を存して底部仕切部材１１が取り付けられている。また、これら両仕切部材８、１１の後端間には開閉自在の二枚の引き戸扉から成る金属製内扉１２（ダクト部材を構成）が嵌め込まれており、これら仕切部材８、１１及び内扉１２で囲まれる空間が前面開口３にて開放された貯蔵室１３とされている。
【００２０】
そして、この貯蔵室１３内には商品陳列用の棚１７が上下に複数段架設されている。尚、１８はこれらの棚１７を受ける棚受けである。
【００２１】
また、内扉１２の後方には間隔を存して開閉自在の二枚の引き戸扉から成る金属製外扉１４（ダクト部材を構成）が嵌め込まれており、その上側には着脱可能なカバー１６が取り付けられ、これら外扉１４とカバー１６がプレハブ冷却貯蔵庫２とオープンショーケース１の境界に位置する。プレハブ冷却貯蔵庫２はオープンショーケース１側が開口しており、外扉１４とその上側のカバー１６にてオープンショーケース１とプレハブ冷却貯蔵庫２とは開閉可能に区画されている。
【００２２】
尚、プレハブ冷却貯蔵庫２内には図示しない冷却装置が設置されており、プレハブ冷却貯蔵庫２内はこの冷却装置によって例えば所定の冷蔵温度に維持されている。
【００２３】
前記内外扉１２、１４間の間隔上端は前記天壁７と天部仕切部材８の間の間隔後部に連通しており、下端は前記底壁９と底部仕切部材１１の間の間隔後部に連通し、これによって、貯蔵室１３の外側に下方から後方及び上方に渡る一連のダクト２１が形成されている。
【００２４】
断熱壁６の底壁９には排水口２２が形成され、この排水口２２には排水ホース２３が接続されて断熱壁６下方に引き出されている。また、底部仕切部材１１の前端と断熱壁６の下前壁２４間には吸込口２５が形成され、底部仕切部材１１下方のダクト２１に連通している。
【００２５】
この場合、底部仕切部材１１下方のダクト２１内には従来の如き冷却器や送風機は設置されておらず、底壁９との間にはそのための寸法も必要とされない。そのため、底部仕切部材１１の高さは従来に比して低くなると共に、下前壁２４の上端の高さも低くなり、その上端にはステンレス製のハンドレールがＨが取り付けられる。
【００２６】
一方、天壁７と天部仕切部材８間のダクト２１内にオープンショーケース１の冷却装置を構成する第一の冷却器２６と第２の冷却器２７が設置され、更にこれら冷却器２６、２７の後側には、天壁７と天部仕切部材８間のダクト２１内に位置して送風機２８が設置されている。そして、前記カバー１６はこれら送風機２８及び冷却器２６、２７の後方に対応している。
【００２７】
前記各冷却器２６、２７は上下に積層されており、これら冷却器２６、２７間には第１の仕切板３１が挿入されている。この仕切板３１の前端は冷却器２６、２７の前端にて終了し、断熱壁６との間に間隔を存しており、後端は下側の冷却器２７後端との間に間隔を置いた状態で降下して、天部仕切部材８の後部上側（送風機２８の下側）に配置した露受皿３２上面に固定されている。
【００２８】
また、下側の冷却器２７下面には第２の仕切板３３取り付けられている。この仕切板３３の後端は冷却器２７の後端にて終了し、仕切板３１、露受皿３２及び天部仕切部材８との間に間隔を存しており、天部仕切部材８と間隔を存したまま前方に延在してその前端は断熱壁６の上前壁３４内面に固定されている。
【００２９】
これによって、天部仕切部材８上方のダクト２１内には、送風機２８から吐出された冷気が第１の冷却器２６、第２の冷却器２７と図２中矢印で示す如くターンしながら順次通過する一連の冷気通路が形成される。
【００３０】
また、各冷却器２６、２７は後方に低く傾斜して設置されており、これによって、上側の冷却器２６の後部と天壁７間には後方の送風機２８に向けて徐々に拡開する間隙Ｐが形成されている。尚、係る傾斜に沿って各仕切板３１、３３も後方に低く傾斜している。特に仕切板３３の前部の傾斜は上前壁３４の内面に向けて急峻とされている。
【００３１】
そして、天部仕切部材８の前端には第１及び第２の吐出口３６、３７が後と前に並設され、何れも天部仕切部材８と仕切板３３間のダクト２１（前記冷気通路）に連通している。これらの吐出口３６、３７間は分流板３８にて仕切られており、吐出口２６の後端には風向板３９が、また、吐出口２７の前端には反射板４１が下方に向けて取り付けられている。そして、各吐出口３６、３７内にはハニカム材４２、４２がそれぞれ挿入される。
【００３２】
前記分流板３８の上部は仕切板３３に接近した後、同様の角度で後方に折曲されており、これによって、吐出口３７に流入する冷気の流速を吐出口３６に流入する冷気の流速より絞っている。
【００３３】
そして、前記反射板４１の前方には間隔を存してシェード４６が取り付けられている。このシェード４６と反射板４１間には照明灯としての蛍光灯４７が取り付けられる。
【００３４】
ここで、各吐出口３６、３７の位置は何れもシェード４６の下端より高い位置に設定されており、更に、シェード４６の下端部と各吐出口３６、３７の下端部を構成する反射板４１下端部、分流板３８下端部及び風向板３９下端部は、図１から理解される如く、最上段の棚１７の前端を中心とした円弧上に略位置するように設定されている。
【００３５】
これにより、蛍光灯４７から発せられた光は従来のオープンショーケースの如く、吐出口３６、３７に邪魔されること無く最上段の棚１７上面にも照射されるようになる。従って、照明が届き難い最上段の棚１７上の空間も明るくなり、貯蔵室１３内の明暗の斑が解消されて販売効果が向上する。
【００３６】
また、シェード４６や各板３８、３９、４１の下端部を前述の如く設定したことにより、最上段の棚１７前方が大きく開放され、当該棚１７上の商品が取り出し易くなる。
【００３７】
他方、シェード４６の上端には断熱壁６の上部を被覆する前パネル４８が接続されている。この前パネル４８はシェード４６の上方に連続する下垂直面４８Ａと、この下垂直面４８Ａから後方の上前壁３４方向に直角に折曲された水平面４８Ｂと、この水平面４８Ｂ後端から上前壁３４直前を再び上昇する上垂直面４８Ｃを有した屈曲形状を呈している。
【００３８】
また、本発明のオープンショーケース１の断熱壁６は従来のオープンショーケースよりも高く設計されており、天部仕切部材８の高さが従来のオープンショーケースの断熱壁の天壁の高さに相当する。しかしながら、シェード４６は従来と略同様の高さに配置され、前パネル４８の水平面４８Ｂの高さが略従来のオープンショーケースの上面に高さに相当する。
【００３９】
そして、係るオープンショーケース１がコンビニエンスストアの店舗内に設置されると、現場施工にてオープンショーケース１の前面上方には下がり壁５１（図３、図４参照）が店舗の天井から降下して設けられる。この下がり壁５１の下端は前パネル４８の水平面４８Ｂまで降下するが、店舗によって施工形態は異なる。
【００４０】
そこで、実施例では前パネル４８の水平面４８Ｂに幅を持たせ、図３の如くシェード４６前面より後退して前パネル４８の上垂直面４８Ｃ前面に密着させた状態と、図４の如く前パネル４８の水平面４８Ｂ前端に位置してシェード４６と略面一となる状態とを選択可能としている。尚、図４の場合には上垂直面４８Ｃとの間にスペーサＷを挿入する。
【００４１】
また、何れの状態においても断熱壁６の上前壁３４は下がり壁５１の後側に隠蔽されるかたちとなる。
【００４２】
以上の構成で、図示しない冷却装置の圧縮機が運転され、或いは、電磁弁が開放されて冷却器２６、２７に絞られた凝縮冷媒が供給される（両冷却器２６、２７は冷媒回路上並列に接続されている）と、冷媒は冷却器２６、２７内で蒸発して冷却作用を発揮する。一方、送風機２８は運転して後方の内外扉１２、１４間におけるダクト２１内から冷気（空気）を吸引し、前方吹き出す。
【００４３】
前方に吹き出された冷気は先ず第１の冷却器２６に流入して熱交換した後、冷却器２６を出て後方にＵターンする。続いて第２の冷却器２７に流入して熱交換した後、天部仕切部材８と仕切板３３間を通って両吐出口３６、３７から開口３方向に吹き出される。
【００４４】
吐出口３６、３７から吹き出された冷気は下方の吸込口２５からダクト２１内に再び吸引され、これによって、開口３には二重の冷気エアーカーテンが形成されると共に、冷気の一部が貯蔵室１３内に循環して内部を冷却する。
【００４５】
このように、オープンショーケース１の天部仕切部材８と天壁７との間におけるダクト２１内に冷却器２６、２７及び送風機２８を設置しているので、断熱壁６の開口下縁の高さと底部仕切部材１１の高さを低くし、貯蔵室１３の開口間口寸法と収容容積の下方への拡張を図ることができる。また、天壁７及び天部仕切部材８の高さも高くしているので、冷却器２６、２７と送風機２８の設置スペースを確保しつつ、貯蔵室１３の開口間口寸法と収容容積の上方への拡張も図っており、総じて、貯蔵室１３の開口間口寸法と収容容積が著しく拡大されている。
【００４６】
また、断熱壁６は上方へ拡大されているが、その前方に下がり壁５１が位置しているので設置時に支障を生じること無く、断熱壁６の上部はこの下がり壁５１後方に隠蔽される。即ち、店舗の下がり壁５１後方の無効空間を有効に利用して上記効果を得ることができる。
【００４７】
更に、二つの冷却器２６、２７が配設され、これら冷却器２６、２７間には仕切板３１を設けると共に、この仕切板３１と仕切板３３によって各冷却器２６、２７を順次通過する一連の冷気通路をダクト２１内に形成しているので、一台の冷却器の場合に比して送風機２８によって形成された冷気流が冷却器を通過する時間が延長され、所要の冷却温度に到達できるようになる。また、送風機２８と吐出口３６、３７間の距離を延長することが可能となるので、静圧を確保して、オープンショーケース１の幅方向に対する均一な風速を得ることができるようになる。
【００４８】
また、冷却器２６、２７を後方に低く傾斜して設置しているので、冷却器２６、２７の除霜水はこの傾斜によって滞ること無く後方に流れ、露受皿３２に需要された後、側面などを流下して排水口２２より排出されるようになる。特に仕切板３３の前部は吐出口３６、３７の上方に位置しており、外気が接触して結露し易いが、この部分は傾斜が急峻とされているので、結露は滞り無く後方に流れる。
【００４９】
これによって、除霜水の処理を円滑に行うことが可能となる。また、この傾斜を利用して上側の冷却器２６後部と天壁７間には間隙Ｐを形成しているので、最初に湿った冷気が流入する冷却器２６の冷気吸込面積が拡張され、霜閉塞し難くなる。これによって、着霜による冷気量の減少を抑制し、且つ、除霜回数を減らして除霜による貯蔵室１３への悪影響を低減することが可能となる。
【００５０】
更に、断熱壁６の天壁７と天部仕切部材８間の間隔後方に、当該間隔内とプレハブ冷却貯蔵庫２内とを仕切る開閉可能なカバー１６を設けたので、送風機２８や冷却器２６、２７周辺の弁などの機器のメンテナンス（モータや弁の交換）の際、このカバー１６を開いてプレハブ冷却貯蔵庫２側から作業を行うことができるようになる。
【００５１】
これにより、底部仕切部材１１下方に冷却器と送風機を設けていた従来のオープンショーケースの如く、メンテナンス時に貯蔵室内の商品を取り出す必要も無くなり、作業性が著しく向上する。
【００５２】
尚、実施例ではプレハブ冷却貯蔵庫が連接されたオープンショーケースに本発明を適用したが、請求項４以外はそれに限らず、後面に開口を有さず、天部仕切部材と内扉及び底部仕切部材が一連若しくは複数枚の仕切板にて構成された通常のオープンショーケースにも本発明は有効である。
【００５３】
【発明の効果】
以上詳述した如く本発明によれば、オープンショーケースの天部仕切部材と天壁との間におけるダクト内に冷却器及び送風機を設置したので、断熱壁の開口下縁の高さと底部仕切部材の高さを低くし、貯蔵室の開口間口寸法と収容容積の下方への拡張を図ることができる。また、天壁及び天部仕切部材の高さを高くすることにより、冷却器と送風機の設置スペースを確保しつつ、貯蔵室の開口間口寸法と収容容積の上方への拡張も図ることが可能となり、総じて、貯蔵室の開口間口寸法と収容容積の著しい拡大を図ることができるようになる。
【００５４】
一方、断熱壁は上方へ拡大されることになるが、その前方に下がり壁を位置させれば設置時にも支障を生じること無く、断熱壁の上部をこの下がり壁後方に隠蔽することができる。即ち、本発明によれば店舗の下がり壁後方の無効空間を有効に利用して上記効果を得ることができるものである。
【００５５】
特に、オープンショーケースは、断熱壁は前面と後面に開口し、この後面の開口にはプレハブ冷却貯蔵庫が連接され、貯蔵室とプレハブ冷却貯蔵庫内を開閉自在に区画する扉が天部仕切部材と天壁との間隔後部を底部仕切部材と底壁との間隔後部に連通させて一連のダクトを構成するものであり、天部仕切部材と天壁との間隔後方に、当該間隔内とプレハブ冷却貯蔵庫内とを仕切る開閉可能なカバーを設けているので、送風機や冷却器周辺の機器のメンテナンスの際、このカバーを開いてプレハブ冷却貯蔵庫側から作業を行うことができるようになる。
【００５６】
これにより、底部仕切部材下方に冷却器と送風機を設けていた従来のオープンショーケースの如く、メンテナンス時に貯蔵室内の商品を取り出す必要も無くなり、作業性が著しく向上するものである。
【００５７】
請求項２の発明によれば、上記に加えて冷却器は複数配設され、これら冷却器間には仕切板を設けると共に、この仕切板によって各冷却器を順次通過する一連の冷気通路をダクト内に形成するようにしたので、送風機によって形成された冷気流が冷却器を通過する時間が延長され、所要の冷却温度に到達するようになる。また、送風機と吐出口間の距離を延長することが可能となるので、幅方向に対する均一な風速を得ることができるようになるものである。
【００５８】
請求項３の発明によれば、請求項１に加えて冷却器を後方に低く傾斜して設置したので、冷却器の除霜水はこの傾斜によって滞ること無く後方に流れるようになる。これによって、除霜水の処理を円滑に行うことが可能となる。また、この傾斜を利用して冷却器後部と断熱壁の天壁間には間隙を形成したので、冷却器の冷気吸込面積が拡張され、霜閉塞し難くなる。これによって、着霜による冷気量の減少を抑制し、且つ、除霜回数を減らして除霜による貯蔵室への悪影響を低減することが可能となるものである。
【図面の簡単な説明】
【図１】  本発明のオープンショーケースの縦断側面図である。
【図２】  本発明のオープンショーケース上部の拡大縦断側面図である。
【図３】  下がり壁を施工した本発明のオープンショーケース上部の拡大縦断側面図である。
【図４】  下がり壁のもう一つの施工例を示す本発明のオープンショーケース上部の拡大縦断側面図である。
【符号の説明】
１  オープンショーケース
２  プレハブ冷却貯蔵庫
３、４  開口
６  断熱壁
７  天壁
８  天部仕切部材
９  底壁
１１  底部仕切部材
１２  内扉（ダクト部材）
１４  外扉（ダクト部材）
１６  カバー
１７  棚
２１  ダクト
２５  吸込口
２６、２７  冷却器
２８  送風機
３１、３３  仕切板
３６、３７  吐出口
４６  シェード
４７  蛍光灯（照明灯）
４８  前パネル
５１  下がり壁
【図１】
0003695885.tif 000002
【図２】
0003695885.tif 000003
【図３】
0003695885.tif 000004
【図４】
0003695885.tif 000005